(57)【要約】【課題】内障子召合わせ框の補強縦材の下端部に取り付ける排水用キャップの破損や他部材との干渉を防止し、排水用キャップにおいて埃やゴミ等の異物が溜まるのを抑え、見栄えを良好にする。【解決手段】排水用キャップ１２は、内障子召合わせ框３の補強縦材６の下端部に差し込まれる嵌合体２０と、この嵌合体２０の下側において結露水を受ける水受体２１と、この水受体２１より垂下した垂れ板体２２とからなる。水受体２１は、框本体４へ向けて下り傾斜した導水空洞部５０を備え、その横向きの入水口５１を、補強縦材６の正面の直下に配置して、補強縦材６の正面を伝って流れ落ちる結露水を入水口５１から導水空洞部５０内へ導くとともに、水受体２１の室内側への張り出し量を補強縦材６の室内側への張り出し量と同等若しくは小さくしている。【選択図】図１
2008150813.tif 000002
【特許請求の範囲】
【請求項１】
室内側へ張り出す補強縦材（６）を框本体（４）に設けた内障子召合わせ框（３）において、前記補強縦材（６）の下端部に、その外表面を伝って流れ落ちる結露水を前記框本体（４）の下端部が嵌め込まれたサッシ下枠（１１）内へ排水する排水用キャップ（１２）を取り付け、この排水用キャップ（１２）は、前記補強縦材（６）の下端部に差し込まれる嵌合体（２０）と、この嵌合体（２０）の下側において前記結露水を受ける水受体（２１）と、この水受体（２１）より垂下して前記框本体（４）の補強縦材（６）側の垂直面（５）に重ね合わされる垂れ板体（２２）とからなり、前記水受体（２１）は、前記框本体（４）へ向けて下り傾斜した導水空洞部（５０）を備え、この導水空洞部（５０）の横向きの入水口（５１）を、前記補強縦材（６）の前記垂直面（５）に対して略平行な正面の直下に配置して、その正面を伝って流れ落ちる結露水を前記入水口（５１）から導水空洞部（５０）内へ導くとともに、前記水受体（２１）の室内側への張り出し量を前記補強縦材（６）の室内側への張り出し量と同等若しくは小さくしたことを特徴とする内障子召合わせ框における結露水の排水構造。
【請求項２】
前記水受体（２１）は、前記框本体（４）へ向けて下り傾斜した導水溝部（４３）（４３）を備え、この導水溝部（４３）（４３）の上向きの開口（４４）（４４）を、前記補強縦材（６）の前記垂直面（５）に対して略直角な側面よりも外側へ張り出させて、その側面を伝って流れ落ちる結露水を前記開口（４４）（４４）から導水溝部（４３）（４３）内へ導くようにした請求項１記載の内障子召合わせ框における結露水の排水構造。
【請求項３】
内障子召合わせ框（３）の框本体（４）から室内側へ張り出す補強縦材（６）の下端部に取り付けられて、前記補強縦材（６）の外表面を伝って流れ落ちる結露水を框本体（４）の下端部が嵌め込まれたサッシ下枠（１１）内へ排水する排水用キャップ（１２）であって、前記補強縦材（６）の下端部に差し込まれる嵌合体（２０）と、この嵌合体（２０）の下側において前記結露水を受ける水受体（２１）と、この水受体（２１）より垂下して前記框本体（４）の補強縦材（６）側の垂直面（５）に重ね合わされる垂れ板体（２２）とからなり、前記水受体（２１）は、前記框本体（４）へ向けて下り傾斜した導水空洞部（５０）を備え、この導水空洞部（５０）の横向きの入水口（５１）を、前記補強縦材（６）の前記垂直面（５）に対して略平行な正面の直下に配置して、その正面を伝って流れ落ちる結露水を前記入水口（５１）から導水空洞部（５０）内へ導くとともに、前記水受体（２１）の室内側への張り出し量を前記補強縦材（６）の室内側への張り出し量と同等若しくは小さくしたことを特徴とする結露水の排水用キャップ。
【請求項４】
前記水受体（２１）は、前記框本体（４）へ向けて下り傾斜した導水溝部（４３）（４３）を備え、この導水溝部（４３）（４３）の上向きの開口（４４）（４４）を、前記補強縦材（６）の前記垂直面（５）に対して略直角な側面よりも外側へ張り出させて、その側面を伝って流れ落ちる結露水を前記開口（４４）（４４）から導水溝部（４３）（４３）内へ導くようにした請求項３記載の結露水の排水用キャップ。
【発明の詳細な説明】
【技術分野】
【０００１】
この発明は、引き違いサッシ等に用いられる内障子の召合わせ框における結露水の排水構造及びこれに使用する結露水の排水用キャップに関するものである。
【背景技術】
【０００２】
一般に、引き違いサッシ等に用いられる内障子の召合わせ框においては、その框本体に室内側へ張り出した補強縦材が設けられていることが多い。このような内障子召合わせ框では、補強縦材に結露が生じると、この結露水が補強縦材の外表面を伝って室内側に落下して、室内床面に敷設した床材等の汚れや腐食の原因となるといった問題があった。
【０００３】
このため、例えば特許文献１や特許文献２にも開示されているように、内障子召合わせ框の補強縦材の下端部に排水用キャップを取り付けて、補強縦材の外表面を伝って流れ落ちる結露水を、排水用キャップを介してサッシ下枠内へ排水する構造のものが知られている。
【０００４】
【特許文献１】特開平７−４１４４号公報
【特許文献２】実開平６−２０８７５号公報
【発明の開示】
【発明が解決しようとする課題】
【０００５】
しかしながら、特許文献１に開示されている構造のものでは、排水用キャップの結露水を受ける水受け部分が、補強縦材の外表面よりも外側に大きく張り出して、その入水口が補強縦材の外表面よりも外側において上向きに開放した状態となっている。
【０００６】
このため、内障子召合わせ框の見栄えが悪くなるとともに、内障子の搬入や取り付けに際して、水受け部分が他部材と衝突して傷付いたり、破損することがあった。また、引き違いサッシの室内側にカーテンが設けられている場合には、カーテンが排水用キャップの水受け部分に引っ掛かって損傷することがあった。さらに、室内側に紙障子が設けられた引き違いサッシの内障子召合わせ框に対して上記の排水用キャップを取り付ける場合には、室内側へ張り出した水受け部分が紙障子に干渉するといったこともあった。さらにまた、排水用キャップにおける水受け部分に埃やゴミ等の異物が溜まり易くなって、排水を良好に維持するために定期的な掃除が必要になるといった不具合があった。
【０００７】
一方、特許文献２に開示されている構造のものでは、排水用キャップにおける水受け部分の形状を工夫することで、補強縦材の外表面よりも外側への水受け部分の張り出しを抑えているので、内障子召合わせ框の見栄えを良好にするとともに、水受け部分の破損やカーテン、紙障子等との干渉を防止することができる。
【０００８】
しかしながら、排水用キャップにおける水受け部分の入水口が、補強縦材の下側をコ字状に囲むように上向きに開放しているので、依然として水受け部分に埃やゴミ等の異物が溜まり易く、良好な排水に支障をきたすといった不具合があった。
【０００９】
この発明は、上記不具合を解消して、見栄えが良好で、排水用キャップの破損や他部材との干渉を防止することができ、さらには排水用キャップにおいて埃やゴミ等の異物が溜まるのを抑えることができる内障子召合わせ框における結露水の排水構造及びこれに使用する結露水の排水用キャップの提供を目的とする。
【課題を解決するための手段】
【００１０】
上記課題を解決するため、この発明の内障子召合わせ框における結露水の排水構造は、室内側へ張り出す補強縦材６を框本体４に設けた内障子召合わせ框３において、前記補強縦材６の下端部に、その外表面を伝って流れ落ちる結露水を前記框本体４の下端部が嵌め込まれたサッシ下枠１１内へ排水する排水用キャップ１２を取り付け、この排水用キャップ１２は、前記補強縦材６の下端部に差し込まれる嵌合体２０と、この嵌合体２０の下側において前記結露水を受ける水受体２１と、この水受体２１より垂下して前記框本体４の補強縦材６側の垂直面５に重ね合わされる垂れ板体２２とからなり、前記水受体２１は、前記框本体４へ向けて下り傾斜した導水空洞部５０を備え、この導水空洞部５０の横向きの入水口５１を、前記補強縦材６の前記垂直面５に対して略平行な正面の直下に配置して、その正面を伝って流れ落ちる結露水を前記入水口５１から導水空洞部５０内へ導くとともに、前記水受体２１の室内側への張り出し量を前記補強縦材６の室内側への張り出し量と同等若しくは小さくしたことを特徴とする。なお、ここでの室内側への張り出し量とは、内障子２の面方向(移動方向)と直交する方向への突出量を意味している。
【００１１】
また、前記水受体２１は、前記框本体４へ向けて下り傾斜した導水溝部４３、４３を備え、この導水溝部４３、４３の上向きの開口４４、４４を、前記補強縦材６の前記垂直面５に対して略直角な側面よりも外側へ張り出させて、その側面を伝って流れ落ちる結露水を前記開口４４、４４から導水溝部４３、４３内へ導くようにしている。
【００１２】
この発明の結露水の排水用キャップ１２は、内障子召合わせ框３の框本体４から室内側へ張り出す補強縦材６の下端部に取り付けられて、前記補強縦材６の外表面を伝って流れ落ちる結露水を框本体４の下端部が嵌め込まれたサッシ下枠１１内へ排水するものであって、前記補強縦材６の下端部に差し込まれる嵌合体２０と、この嵌合体２０の下側において前記結露水を受ける水受体２１と、この水受体２１より垂下して前記框本体４の補強縦材６側の垂直面５に重ね合わされる垂れ板体２２とからなり、前記水受体２１は、前記框本体４へ向けて下り傾斜した導水空洞部５０を備え、この導水空洞部５０の横向きの入水口５１を、前記補強縦材６の前記垂直面５に対して略平行な正面の直下に配置して、その正面を伝って流れ落ちる結露水を前記入水口５１から導水空洞部５０内へ導くとともに、前記水受体２１の室内側への張り出し量を前記補強縦材６の室内側へ張り出し量と同等若しくは小さくしたことを特徴とする。なお、ここでの室内側への張り出し量とは、内障子２の面方向(移動方向)と直交する方向への突出量を意味している。
【００１３】
また、前記水受体２１は、前記框本体４へ向けて下り傾斜した導水溝部４３、４３を備え、この導水溝部４３、４３の上向きの開口４４、４４を、前記補強縦材６の前記垂直面５に対して略直角な側面よりも外側へ張り出させて、その側面を伝って流れ落ちる結露水を前記開口４４、４４から導水溝部４３、４３内へ導くようにしている。
【発明の効果】
【００１４】
この発明によると、排水用キャップにおける導水空洞部の横向きの入水口を補強縦材の正面の直下に配置して、その正面を伝って流れ落ちる結露水を入水口から導水空洞部内へ導くようにして、水受体の室内側への張り出し量を抑えているので、内障子召合わせ框の見栄えを良好にして、水受体の他部材との衝突や干渉を防止することができ、しかも入水口を横向きにしたことによって埃やゴミ等の異物が侵入し難くして、掃除等のメンテナンスを軽減しながら、排水を良好に維持することができる。
【発明を実施するための最良の形態】
【００１５】
この発明の実施の形態について、図面を参照しつつ詳細に説明する。この発明の一実施形態に係る引き違いサッシ１における内障子２の召合わせ框３は、アルミニウム製の押出材であって、図１及び図２に示すように、角筒状の框本体４と、その框本体４における内障子２の面方向(移動方向)に沿った垂直面(正面)５から室内側へ張り出す補強縦材６とから構成されている。
【００１６】
補強縦材６は、内障子２の面方向(移動方向)に沿った正面部７と、この正面部７の両端から内障子２の面方向(移動方向)とは略直角な方向に延出した側面部８、８とによって断面略コ字形に形成され、その側面部８、８の縦方向に沿った先端が框本体４の垂直面５に接続されている。そして、この補強縦材６と框本体４の垂直面５とによって、中空部１０が形成されている。また、補強縦材６の下端部は、框本体４の下端部が嵌め込まれたサッシ下枠１１に干渉しないように切り欠かれている。
【００１７】
そして、この補強縦材６の下端部には、その外表面を伝って流れ落ちる結露水を框本体４の下端部が嵌め込まれたサッシ下枠１１内へ排水する合成樹脂製の排水用キャップ１２が取り付けられている。なお、図１おいて、１３は内障子１のガラス板である。また、図２において、１４は引き違いサッシ１の外障子、１５は引き違いサッシ１の室内側に設けられた紙障子、１６は紙障子１５用の鴨居、１７は引き違いサッシ１の下方に設けられた外壁材、１８は外壁材１７用の軸組、１９は内壁材である。
【００１８】
排水用キャップ１２は、図３に示すように、補強縦材６の下端部開口から中空部１０内に差し込まれる嵌合体２０と、この嵌合体２０の下側において結露水を受ける水受体２１と、この水受体２１より垂下して框本体４の垂直面５に重ね合わされる垂れ板体２２とからなる。
【００１９】
嵌合体２０は、補強縦材６の正面部７に対向する正面壁部３０と、補強縦材６の側面部８、８に対向する一対の側面壁部３１、３１と、これら正面壁部３０及び側面壁部３１、３１の上端部間に跨る上面壁部３２とを備えている。そして、正面壁部３０及び側面壁部３１、３１には、縦方向に沿った突起３３・・が適宜間隔をあけて形成され、嵌合体２０を補強縦材６の下端部に差し込んだときに、これら突起３３・・が補強縦材６の正面部７及び側面部８、８の内面に圧接することで、排水用キャップ１２を補強縦材６の下端部に強固に取り付けることができるようになっている。
【００２０】
前記水受体２１は、嵌合体２０の下面開口を閉塞する閉塞板部４０と、この閉塞板部４０の下方に配されて框本体４へ向けて下り傾斜した傾斜板部４１と、これら閉塞板部４０と傾斜板部４１の両端部間に介在された側板部４２、４２とを備えている。
【００２１】
閉塞板部４０は、嵌合体２０の正面壁部３０及び側面壁部３１、３１よりも外側へ張り出しており、嵌合体２０を補強縦材６の下端部に差し込んだときに、この張り出し部分に補強縦材６の下端面が当接するようになっている。このとき、図１に示すように、閉塞板部４０の張り出し部分の外周端は、補強縦材６よりも外側へ張り出さないようになっている。
【００２２】
この閉塞板部４０の張り出し部分のうち、嵌合体２０の側面壁部３１、３１よりも外側へ張り出した部分には、框本体４へ向けて下り傾斜した導水溝部４３、４３が一体的に形成されている。この導水溝部４３、４３の結露水流入口となる上向きの開口４４、４４は、嵌合体２０を補強縦材６の下端部に差し込んだときに、補強縦材６の側面部８、８よりも外側へ張り出し、且つ、補強縦材６の側面部８、８に対して略平行に配置され、導水溝部４３、４３の結露水流出口となる横向きの開口４５、４５は、嵌合体２０を補強縦材６の下端部に差し込んだときに、框本体４の側方に配置されている。
【００２３】
傾斜板部４１は、その平面シルエット形状が導水溝部４３、４３を備えた閉塞板部４０の平面シルエット形状に略合致しており、嵌合体２０を補強縦材６の下端部に差し込んだときに、傾斜板部４１の外周端のうち正面側が補強縦材６の正面部７よりも外側へ張り出さないようになっている。
【００２４】
そして、上記の閉塞板部４０、傾斜板部４１及び側板部４２、４２によって、框本体４へ向けて下り傾斜した導水空洞部５０が形成されている。この導水空洞部５０の横向きの入水口５１は、嵌合体２０を補強縦材６の下端部に差し込んだときに、補強縦材６の正面部７の直下において正面部７に対して略平行に配置され、導水空洞部５０の横向きの出水口５２は、嵌合体２０を補強縦材６の下端部に差し込んだときに、框本体４の垂直面５に面して配置されるようになっている。また、入水口５１には、その入水口５１の変形を防止するための一対のスペーサ材５３、５３が閉塞板部４０と傾斜板部４１との間に跨って取り付けられている。
【００２５】
このようにして構成された水受体２１は、その室内側(正面側)への張り出し量が補強縦材６の室内側(正面側)への張り出し量と同等若しくはそれよりも小さくなっており、図１及び図４に示すように、補強縦材６の正面部７を伝って流れ落ちる結露水を入水口５１から導水空洞部５０内へ導くとともに、図１及び図５に示すように、補強縦材６の側面部８、８を伝って流れ落ちる結露水を開口４４、４４から導水溝部４３、４３内へ導くようになっている。
【００２６】
垂れ板体２２は、框本体４の垂直面５と略同じ幅を有する略長方形状に形成され、その上端部が傾斜板部４１の出水口５２側の端部に一体的に連結されている。この垂れ板体２２は、その下端部に向かうにつれて框本体４側へ近接するように傾斜しており、嵌合体２０を補強縦材６の下端部に差し込んだときに、特に下端部付近が框本体４の垂直面５に強く圧接することで、めくり上がりが防止されている。なお、この垂れ板体２２は、框本体４の垂直面５に単に圧接して重ね合わせるようにしているが、接着剤やビス等を使用して框本体４の垂直面５に強固に固定しても良い。
【００２７】
上記構成の排水用キャップ１２を取り付けた内障子２の召合わせ框３においては、補強縦材６に結露が生じると、この結露水が補強縦材６の外表面を伝って排水用キャップ１２に到達する。このとき、補強縦材６の正面部７を伝って流れ落ちる結露水は、図４に示すように、正面部７の直下の横向きの入水口５１から導水空洞部５０内へ導かれて、導水空洞部５０内を框本体４へ向かって流れて、出水口５２から垂れ板体２２と框本体４の垂直面５との間を通って、サッシ下枠１１内に落下する。また、補強縦材６の側面部８、８を伝って流れ落ちる結露水は、図５に示すように、側面部８、８の側方の上向きの開口４４、４４から導水溝部４３、４３内へ導かれて、導水溝部４３、４３内を框本体４へ向かって流れて、横向きの開口４５、４５からサッシ下枠１１内に落下する。サッシ下枠１１内に落下した結露水は、サッシ下枠１１に形成した図示しない排水口から室外へ排出される。
【００２８】
このように、補強縦材６の下端部に取り付けた排水用キャップ１２によって、室内側に張り出す補強縦材６の外表面に結露水が発生しても、この結露水をサッシ下枠１１内へ確実に導いて、室内側への結露水の落下を防止することができる。
【００２９】
しかも、この排水用キャップ１２は、その導水空洞部５０の横向きの入水口５１を補強縦材６の正面部７の直下に配置して、補強縦材６の正面部７を伝って流れ落ちる結露水を入水口５１から導水空洞部５０内へ導くようにしているので、従来の入水口が上向きに開放している排水用キャップの場合のように、水受体２１を補強縦材６の外表面よりも外側へ張り出させる必要がなく、水受体２１の室内側への張り出し量を補強縦材６の室内側への張り出し量と同等若しくはそれよりも小さく抑えることができる。これにより、内障子２の召合わせ框３の見栄えを良好にすることができるとともに、内障子２の搬入や取り付けに際して、水受体２１が他部材と衝突して傷付いたり、破損することを防止することができる。さらには、図２に示すように、引き違いサッシ１の室内側にカーテンや紙障子１５、１５が設けられていても、排水用キャップ１２の水受体２１がこれらと干渉することがなく、例えば内障子の室内側に紙障子等を設けるようなサッシ部分のリフォームに際して、内障子召合わせ框と紙障子等との間隔が狭くなるような場合にも有効に用いることができる。
【００３０】
その上、排水用キャップ１２における導水空洞部５０の入水口５１を横向きに形成することで、従来のように入水口が上向きに開放している場合と比べて、埃やゴミ等の異物が入水口５１から侵入し難くなり、これによって掃除等のメンテナンスを軽減し、排水を良好に維持することができる。
【００３１】
この発明は、上記実施形態に限定されるものではなく、この発明の範囲内で上記実施形態に多くの修正及び変更を加え得ることは勿論である。
【図面の簡単な説明】
【００３２】
【図１】この発明の一実施形態に係る内障子召合わせ框の排水用キャップ部分の斜視図である。
【図２】引き違いサッシの下端部付近の断面図である。
【図３】排水用キャップの斜視図である。
【図４】補強縦材の正面部を伝う結露水の流れを示す縦断面図である。
【図５】補強縦材の側面部を伝う結露水の流れを示す縦断面図である。
【符号の説明】
【００３３】
２・・内障子、３・・召合わせ框、４・・框本体、５・・垂直面、６・・補強縦材、１１・・サッシ下枠、１２・・排水用キャップ、２０・・嵌合体、２１・・水受体、２２・・垂れ板体、４３・・導水溝部、４４・・開口、５０・・導水空洞部、５１・・入水口
【図１】
2008150813.tif 000003
【図２】
2008150813.tif 000004
【図３】
2008150813.tif 000005
【図４】
2008150813.tif 000006
【図５】
2008150813.tif 000007